(57)【要約】  チップは、流体が収容される第一収容部と、前記流体と混合される混合対象が収容される第二収容部と、前記第一収容部と前記第二収容部とを連通する流路と、前記流路に設けられ、加熱により形状が変化して前記流路を開放可能な弁と、を備える。
2019187294.tif 000002
【特許請求の範囲】
【請求項１】
流体が収容される第一収容部と、
前記流体と混合される混合対象が収容される第二収容部と、
前記第一収容部と前記第二収容部とを連通する流路と、
前記流路に設けられ、加熱により形状が変化して前記流路を開放可能な弁と、
を備えるチップ。
【請求項２】
前記流路が形成され、光を透過可能な形成部材、を備え、
前記弁は、前記形成部材を透過した光を吸収することで加熱される
請求項１に記載のチップ。
【請求項３】
前記弁及び前記弁の周辺部の少なくとも一方は、光を吸収する色材を有している
請求項２に記載のチップ。
【請求項４】
前記弁は、熱可塑性物質である
請求項１〜３のいずれか１項に記載のチップ。
【請求項５】
前記弁は、前記流体に含まれる検体が熱変性する温度未満の融点を有している
請求項４に記載のチップ。
【請求項６】
前記弁の形状の変化は、不可逆である
請求項１〜５のいずれか１項に記載のチップ。
【請求項７】
請求項１〜６のいずれか１項に記載のチップと、
前記弁を加熱する加熱部と、
を備える混合装置。
【請求項８】
前記加熱部は、前記弁へ光を照射する照射部である
請求項７に記載の混合装置。
【請求項９】
前記第一収容部に収容された流体を前記第二収容部へ移動させる移動機構を備える
請求項７又は８に記載の混合装置。
【請求項１０】
第一収容部と第二収容部とを連通する流路に設けられた弁を加熱し、該弁の形状を変化させて前記流路を開放する第一工程と、
前記第一収容部に収容された流体を、混合対象が収容された前記第二収容部へ移動させる第二工程と、
を有する混合方法。
【請求項１１】
前記第一工程では、前記弁へ光を照射することで前記弁を加熱し、該弁の形状を変化させて前記流路を開放する
請求項１０に記載の混合方法。
【発明の詳細な説明】
【技術分野】
【０００１】
本開示の技術は、チップ、混合装置及び混合方法に関する。
【背景技術】
【０００２】
特開２００４−３１７３２５号公報には、加熱により流体をゲル化して分岐流路を閉じることで、流体をバルブとして機能させる構成が開示されている。
【発明の概要】
【発明が解決しようとする課題】
【０００３】
特開２００４−３１７３２５号公報の構成では、流路を閉じるバルブとして流体を機能させているため、閉じられた流路を加熱により開放して流体と混合対象とを混合することができなかった。【０００４】
本開示の技術は、上記事実を考慮し、閉じられた流路を加熱により開放して流体と混合対象とを混合させることができる、チップ、混合装置及び混合方法を提供することを目的とする。
【課題を解決するための手段】
【０００５】
第１態様に係るチップは、流体が収容される第一収容部と、流体と混合される混合対象が収容される第二収容部と、第一収容部と第二収容部とを連通する流路と、流路に設けられ、加熱により形状が変化して流路を開放可能な弁と、を備える。【０００６】
第１態様に係るチップによれば、流体が第一収容部に収容される。流体と混合される混合対象は、第二収容部に収容される。第一収容部と第二収容部とを連通する流路には、弁が設けられている。この弁は、加熱により形状が変化して流路を開放する。これにより、閉じられた流路を加熱により開放して流体と混合対象とを混合させることができる【０００７】
第２態様に係るチップとしては、流路が形成され、光を透過可能な形成部材、を備え、弁が、形成部材を透過した光を吸収することで加熱されてもよい。【０００８】
第２態様に係るチップによれば、形成部材を介して弁へ光を照射することで、流路を開放できる。【０００９】
第３態様に係るチップとしては、弁及び弁の周辺部の少なくとも一方が、光を吸収する色材を有していてもよい。【００１０】
第３態様に係るチップによれば、弁及び弁の周辺部の少なくとも一方が、色材によって光を吸収するので、光の照射を開始してから短時間で弁を加熱することができる。この結果、光の照射を開始してから短時間で流路を開放できる。【００１１】
第４態様に係るチップとしては、弁が、熱可塑性物質であってもよい。【００１２】
第４態様に係るチップによれば、弁を軟化させて扁平な状態にすることで流路を開放できるので、例えば弁を収縮させて流路を開放させる場合に比べ、流路を広く開放できる。【００１３】
第５態様に係るチップとしては、弁が、流体に含まれる検体が熱変性する温度未満の融点を有していてもよい。【００１４】
第５態様に係るチップによれば、検体を熱変性させずに、流路を開放できる。【００１５】
第６態様に係るチップとしては、弁の形状の変化が、不可逆であってもよい。【００１６】
第６態様に係るチップによれば、不用意に流路が閉じることを抑制できる。【００１７】
第７態様に係る混合装置は、第１〜第６態様のいずれかのチップと、弁を加熱する加熱部と、を備える。【００１８】
第７態様に係る混合装置によれば、加熱部が弁を加熱することで流路を開放して流体と混合対象とを混合させることができる。【００１９】
第８態様に係る混合装置としては、加熱部が、弁へ光を照射する照射部であってもよい。【００２０】
第８態様に係る混合装置によれば、チップに対して非接触で弁を加熱できる。【００２１】
第９態様に係る混合装置としては、第一収容部に収容された流体を第二収容部へ移動させる移動機構を備えていてもよい。【００２２】
第９態様に係る混合装置によれば、流体を混合対象と第二収容部で混合させることができる。【００２３】
第１０態様に係る混合方法は、第一収容部と第二収容部とを連通する流路に設けられた弁を加熱し、弁の形状を変化させて流路を開放する第一工程と、第一収容部に収容された流体を、混合対象が収容された第二収容部へ移動させる第二工程と、を有する。【００２４】
第１０態様に係る混合方法によれば、弁を加熱することで流路を開放して、流体を混合対象と第二収容部で混合させることができる。【００２５】
第１１態様に係る混合方法としては、第一工程において、弁へ光を照射することで弁を加熱し、弁の形状を変化させて流路を開放してもよい。【００２６】
第１１態様に係る混合方法によれば、チップに対して非接触で弁を加熱できる。
【発明の効果】
【００２７】
本開示の技術によれば、閉じられた流路を加熱により開放して流体と混合対象とを混合させることができる。
【図面の簡単な説明】
【００２８】
【図１】本実施形態に係る混合装置の概略構成を示す断面図である。
【図２】本実施形態に係るチップの概略構成を示す分解斜視図である。
【図３】本実施形態に係るチップの概略構成を示す平面図である。
【図４】図３における４−４線断面図である。
【図５】図３における５−５線断面図である。
【図６】図３における６−６線断面図である。
【発明を実施するための形態】
【００２９】
以下に、本発明に係る実施形態の一例を図面に基づき説明する。
【００３０】
（混合装置１０）
本実施形態に係る混合装置１０について説明する。図１は、混合装置１０の概略構成を示す断面図である。なお、図１に示されるチップ１２は、図３に示される１−１線で切断されたチップ１２である。
【００３１】
図１に示される混合装置１０は、流体と混合対象とを混合する装置である。具体的には、混合装置１０は、図１に示されるように、チップ１２と、照射部６０（加熱部の一例）と、移動機構７０と、を有している。以下、流体及び混合対象と、混合装置１０の各部（チップ１２、照射部６０及び移動機構７０）の具体的な構成と、について説明する。
【００３２】
（流体及び混合対象）
流体としては、混合対象と混合可能な流体が用いられる。具体的には、流体としては、例えば、混合対象に対して反応する流体、又は、混合対象に対して反応する物質を含む流体が用いられる。また、流体としては、例えば、液体が用いられる。液体としては、例えば、検体を含む検体液が用いられる。検体液としては、例えば、ＤＮＡ（デオキシリボ核酸）が遊離される細胞を含む液体が用いられる。
【００３３】
混合対象としては、流体を反応させる反応剤が用いられる。反応剤としては、例えば、流体を反応させることで特定の処理を行う処理剤が用いられる。処理剤としては、例えば、検体液に含まれた細胞からＤＮＡを遊離させる界面活性剤などが用いられる。
【００３４】
（チップ１２）
図２は、チップ１２の概略構成を示す分解斜視図である。図３は、チップ１２の概略構成を示す平面図である。
【００３５】
図１、図２及び図３に示されるチップ１２は、液体及び混合対象が収容され、液体と混合対象とを混合させる収容体である。具体的には、図１、図２及び図３に示されるように、チップ１２は、第一基板２１と、第二基板２２と、複数の混合室３０と、流入路２５と、複数の流路４０と、複数の弁５０と、を有している。以下、チップ１２の各部（第一基板２１、第二基板２２、複数の混合室３０、流入路２５、複数の流路４０、及び複数の弁５０）の具体的な構成について説明する。
【００３６】
（第一基板２１及び第二基板２２）
第一基板２１は、流路が形成され光を透過可能な形成部材の一例である。具体的には、第一基板２１として、透明な部材が用いられている。第一基板２１の材料としては、例えば、樹脂材料やガラスなどが挙げられる。
【００３７】
一方、第二基板２２には、光を透過する機能は不要である。したがって、第二基板２２としては、例えば、不透明な部材が用いられる。なお、第二基板２２として、透明な部材を用いてもよい。
【００３８】
また、第一基板２１及び第二基板２２は、それぞれ、一例として、矩形板状に形成されている。第一基板２１は、厚み方向一方側の面としての上面２１Ａと、厚み方向他方側の面としての下面２１Ｂと、を有している。第二基板２２は、厚み方向一方側の面としての上面２２Ａと、厚み方向他方側の面としての下面２２Ｂと、を有している。そして、第一基板２１の下面２１Ｂと、第二基板２２の上面２２Ａと、が接合されている。なお、第一基板２１及び第二基板２２の厚み方向は、図１におけるＴ方向である。
【００３９】
（複数の混合室３０、流入路２５、及び複数の流路４０）
複数の混合室３０として、４つの混合室がチップ１２に備えられている。具体的には、複数の混合室３０として、混合室３１、３２、３３、３４（以下、混合室３１〜３４と称する場合がある）がチップ１２に備えられている。なお、混合室３１は、流体が収容される第一収容部の一例である。また、混合室３２は、流体と混合される混合対象が収容される第二収容部の一例である。
【００４０】
図２及び図４に示されるように、混合室３１〜３４は、それぞれ、第一基板２１に形成された流体が収容可能な収容空間によって、構成されている。収容空間は、以下のように、第一基板２１の下面２１Ｂに形成されている。すなわち、第一基板２１の下面２１Ｂに凹部が形成され、その凹部における下側（第二基板２２側）の開口が、第二基板２２の上面２２Ａによって閉鎖されることで、収容空間が形成されている。なお、図４は、図３における４−４線断面図である。
【００４１】
混合室３１、３２、３３、３４は、この順で、厚み方向に対する直交方向（図１、図２及び図３の矢印Ａ方向）に沿って配置されている。混合室３１、３２、３３、３４のそれぞれには、流体と混合される混合対象が予め収容される。
【００４２】
流入路２５は、流体を混合室３１に流入させる通路である。流入路２５は、図２及び図５に示されるように、第一路２５Ａと、第二路２５Ｂと、を有している。第一路２５Ａは、第一基板２１を厚み方向（図５のＴ方向）に沿って形成された孔（具体的には円孔）で構成されている。なお、図５は、図３における５−５線断面図である。
【００４３】
第二路２５Ｂは、以下のように、第一基板２１の下面２１Ｂに形成されている。すなわち、第一基板２１の下面２１Ｂに溝部が直交方向（矢印Ａ方向）に沿って形成され、その溝部における下側（第二基板２２側）の開口が、第二基板２２の上面２２Ａによって閉鎖されることで、第二路２５Ｂが形成されている。なお、第二路２５Ｂは、図５に示されるように、例えば、断面半円形状に形成されている。
【００４４】
第一路２５Ａの一端（上端）は、第一基板２１の上面２１Ａで開口している。第一路２５Ａの他端（下端）は、第二路２５Ｂの一端と連通している。第二路２５Ｂの他端は、混合室３１と連通している。これにより、流入路２５を通じて流体が混合室３１に流入し、その流体が混合室３１に収容される。
【００４５】
本実施形態では、複数の流路４０として、４つの流路がチップ１２に備えられている。具体的には、複数の流路４０として、流路４１、４２、４３、４４（以下、流路４１〜４４と称する場合がある）がチップ１２に備えられている。なお、流路４１は、第一収容部と第二収容部とを連通する流路の一例である。
【００４６】
図２及び図６に示されるように、流路４１〜４４は、それぞれ、以下のように、第一基板２１の下面２１Ｂに形成されている。すなわち、第一基板２１の下面２１Ｂに溝部が直交方向（矢印Ａ方向）に沿って形成され、その溝部における下側（第二基板２２側）の開口が、第二基板２２の上面２２Ａによって閉鎖されることで、流路４１〜４４の各々が形成されている。各流路４１〜４４は、図６に示されるように、例えば、断面半円形状に形成されている。なお、図６は、図３における６−６線断面図である。
【００４７】
流路４１は、混合室３１と混合室３２とを連通している。さらに、流路４２は、混合室３２と混合室３３とを連通している。また、流路４３は、混合室３３と混合室３４とを連通している。
【００４８】
流路４４は、混合室３４に対する流路４３側（図１及び図３の左側）とは反対側（図１及び図３の右側）で、一端が混合室３４とを連通している。流路４４の他端は、第一基板２１の側面（図１の右側面）で開口している。これにより、混合室３４に収容された流体が、流路４４を通じてチップ１２の外側（図１及び図３の右側）へ流出可能となっている。このように、流路４４は、流体を混合室３４から流出させる通路として機能する。
【００４９】
（複数の弁５０）
図１等に示される複数の弁５０として、流路４０と同数の４つの弁がチップ１２に備えられている。具体的には、複数の弁５０として、弁５１、５２、５３、５４（以下、弁５１〜５４と称する場合がある）がチップ１２に備えられている。なお、弁５１は、流路に設けられ、加熱により形状が変化して流路を開放可能な弁の一例である。
【００５０】
各弁５１〜５４は、各流路４１〜４４に設けられている。この各弁５１〜５４は、各流路４１〜４４を閉じている。これにより、各流路４１〜４４において流体の流通ができない状態となっている。したがって、各混合室３１〜３４に予め収容された混合対象は、各混合室３１〜３４から流出されず、混合対象同士が混合することがない。
【００５１】
各弁５１〜５４には、例えば、熱可塑性物質が用いられる。すなわち、各弁５１〜５４として、例えば、加熱すると軟化し別の形に変形しうる性質を有する物質が用いられる。
【００５２】
熱可塑性物質としては、例えば、汎用プラスチック（ポリエチレン（ＰＥ）、ポリプロピレン（ＰＰ）、ポリ塩化ビニル（ＰＶＣ）、ポリ塩化ビニリデン、ポリスチレン（ＰＳ）、ポリ酢酸ビニル（ＰＶＡｃ）、ポリウレタン（ＰＵＲ）、ポリテトラフルオロエチレン（ＰＴＦＥ）、ＡＢＳ樹脂（アクリロニトリルブタジエンスチレン樹脂）、ＡＳ樹脂、アクリル樹脂（ＰＭＭＡ））、エンジニアリング・プラスチック（ポリアミド（ＰＡ）、ナイロン、ポリアセタール（ＰＯＭ）、ポリカーボネート（ＰＣ）、変性ポリフェニレンエーテル（ｍ−ＰＰＥ、変性ＰＰＥ、ＰＰＯ）、ポリエステル（ＰＥｓ）の内、ポリエチレンテレフタレート（ＰＥＴ）、グラスファイバー強化ポリエチレンテレフタレート（ＧＦ−ＰＥＴ）、ポリブチレンテレフタレート（ＰＢＴ）、環状ポリオレフィン（ＣＯＰ））、ポリフェニレンスルファイド（ＰＰＳ）、ポリサルフォン（ＰＳＦ）、ポリエーテルサルフォン（ＰＥＳ）、非晶ポリアリレート（ＰＡＲ）、液晶ポリマー（ＬＣＰ）、ポリエーテルエーテルケトン（ＰＥＥＫ）、熱可塑性ポリイミド（ＰＩ）、ポリアミドイミド（ＰＡＩ））、ろう、パラフィン、ワックス、石鹸、脂肪などが挙げられる。なお、これらの熱可塑性物質は、単独で用いてもよいし、２種以上を組み合わせて用いてもよい。
【００５３】
なお、各弁５１〜５４は、加熱されていない状態において、すなわち、常温（チップ１２が取り扱われる環境温度）において、固体とされている。すなわち、各弁５１〜５４は、常温よりも高い温度の融点を有している。
【００５４】
また、各弁５１〜５４は、流体に含まれる検体が熱変性する温度未満の融点を有している。検体がタンパク質である場合、熱変性する温度は、例えば、７０℃とされる。したがって、各弁５１〜５４として、７０℃未満の融点を有する熱可塑性物質が用いられる。このような熱可塑性物質としては、例えば、ろう、パラフィン、ワックス、石鹸、脂肪などが挙げられる。
【００５５】
また、各弁５１〜５４は、各混合室３１〜３４に収容された状態における流体の温度よりも高い温度の融点を有している。これにより、各弁５１〜５４は、流体が接触しても融解しない。
【００５６】
各弁５１〜５４は、光を吸収する色材を有している。色材の一例として、黒色の色材が用いられている。そして、各弁５１〜５４は、第一基板２１を透過した光を吸収することで加熱される。この各弁５１〜５４は、加熱されると形状が変化して各流路４１〜４４を開放する。
【００５７】
各弁５１〜５４における形状変化は、第一基板２１の厚み方向（図１のＴ方向）の寸法が小さくなる形状変化である。具体的には、各弁５１〜５４は、溶解することで、例えば、直交方向（図１の矢印Ａ方向）に流れて扁平な状態となる。
【００５８】
また、各弁５１〜５４の形状の変化は、不可逆である。すなわち、各弁５１〜５４は、元の状態（各流路４１〜４４を閉じる状態）には戻らない。換言すれば、各弁５１〜５４は、各流路４１〜４４を開放した状態を維持する。
【００５９】
そして、各弁５１〜５４が各流路４１〜４４を開放することで、各流路４１〜４４での流体の流通が可能となる。
【００６０】
具体的には、流入路２５を通じて混合室３１に流入した流体は、流路４１を通じて混合室３２へ流通可能となる。混合室３２に流入した流体は、流路４２を通じて混合室３３へ流通可能となる。混合室３３に流入した流体は、流路４３を通じて混合室３４へ流通可能となる。混合室３４に流入した流体は、流路４４を通じてチップ１２の外側（上側）へ流出可能となる。なお、チップ１２における流体の流通方向は、直交方向（図１の矢印Ａ方向）とされる。
【００６１】
（照射部６０）
図１に示される照射部６０は、弁へ光を照射する照射部の一例である。照射部６０は、弁を加熱する加熱部の一例でもある。
【００６２】
照射部６０は、具体的には、図１に示されるように、光源６２と、集光素子としてのレンズ６４と、を有している。光源６２は、第一基板２１に対する第二基板２２側（下側）とは反対側（上側）から弁５１（図１の下方側）へ向けて照射する。光源６２としては、半導体光源、放電ランプ及びハロゲンランプが用いられる。半導体光源としては、発光ダイオード（ＬＥＤ）、レーザダイオード（ＬＤ）などが挙げられる。
【００６３】
光源６２は、例えば、光として赤外光を照射する。具体的には、光源６２は、例えば、２０μｍ以下の波長の赤外光を照射する。好ましくは、光源６２は、２μｍ以下の波長の赤外光を照射する。
【００６４】
レンズ６４は、光源６２から照射された光を弁５１で集光する機能を有している。なお、温度センサにより弁５１の温度を測定して、光源６２の出力を制御してもよい。また、照射部６０は、各弁５１〜５４に光を照射可能な各照射位置に、チップ１２に対して直交方向（図１の矢印Ａ方向）へ相対移動可能とされている。すなわち、チップ１２に対して直交方向（図１の矢印Ａ方向）へ相対移動することで、照射部６０の照射位置が、各弁５１〜５４に光を照射可能な各照射位置に変更可能とされている。
【００６５】
（移動機構７０）
図１に示される移動機構７０は、第一収容部に収容された流体を第二収容部へ移動させる移動機構の一例である。
【００６６】
移動機構７０は、具体的には、混合室３１から混合室３４に向けて下り勾配となるようにチップ１２を支持する支持体で構成されている。これにより、混合室３１（第一収容部の一例）よりも混合室３２（第二収容部の一例）が下側に位置し、混合室３２よりも混合室３３が下側に位置し、混合室３３よりも混合室３４が下側に位置している。
【００６７】
これにより、流体は、重力により、混合室３１から混合室３２へ移動し、混合室３２から混合室３３へ移動し、混合室３３から混合室３４へ移動する。このように、移動機構７０は、流体に作用する重力を用いて流体を移動させる。
【００６８】
（混合方法）
次に、混合装置１０を用いて、流体と混合対象とを混合する混合方法について説明する。
【００６９】
本混合方法は、流入工程と、第一開放工程と、第一移動工程と、第二開放工程と、第二移動工程と、第三開放工程と、第三移動工程と、第四開放工程と、流出工程と、を有している。本混合方法では、流入工程、第一開放工程、第一移動工程、第二開放工程、第二移動工程、第三開放工程、第三移動工程、第四開放工程、及び流出工程の順で、各工程が実行される。以下、各工程について説明する。
【００７０】
（流入工程）
流入工程では、流入路２５を通じて流体を混合室３１に流入させる。これにより、流体が混合室３１に収容される。混合室３１に収容された流体は、混合室３１に予め収容された混合対象と、混合室３１にて混合される。
【００７１】
（第一開放工程）
第一開放工程は、第一収容部と第二収容部とを連通する流路に設けられた弁を加熱し、弁の形状を変化させて流路を開放する第一工程の一例である。具体的には、第一開放工程では、照射部６０が弁５１に光を照射することで弁５１を加熱し、弁５１の形状を変化させて流路４１を開放する。
【００７２】
（第一移動工程）
第一移動工程は、第一収容部に収容された流体を、混合対象が収容された第二収容部へ移動させる第二工程の一例である。第一移動工程では、混合室３１に収容された流体を、弁５１により開放された流路４１を通じて、混合室３２へ移動させる。
【００７３】
具体的には、第一移動工程では、混合室３１から混合室３４に向けて下り勾配となるように支持されたチップ１２において流路４１を開放することで、流体を重力により混合室３１から混合室３２へ移動させる。これにより、流体は、混合室３２に収容された混合対象と混合室３２において混合される。
【００７４】
（第二開放工程）
第二開放工程では、照射部６０が弁５２に光を照射することで弁５２を加熱し、弁５２の形状を変化させて流路４２を開放する。
【００７５】
（第二移動工程）
第二移動工程では、混合室３２に収容された流体を、弁５２により開放された流路４２を通じて混合室３３へ移動させる。具体的には、第二移動工程では、混合室３１から混合室３４に向けて下り勾配となるように支持されたチップ１２において流路４２を開放することで、流体を重力により混合室３２から混合室３３へ移動させる。これにより、流体は、混合室３３に収容された混合対象と混合室３３において混合される。
【００７６】
（第三開放工程）
第三開放工程では、照射部６０が弁５３に光を照射することで弁５３を加熱し、弁５３の形状を変化させて流路４３を開放する。
【００７７】
（第三移動工程）
第三移動工程では、混合室３３に収容された流体を、弁５３により開放された流路４３を通じて混合室３４へ移動させる。具体的には、第三移動工程では、混合室３１から混合室３４に向けて下り勾配となるように支持されたチップ１２において流路４３を開放することで、流体を重力により混合室３３から混合室３４へ移動させる。これにより、流体は、混合室３４に収容された混合対象と混合室３４において混合される。
【００７８】
（第四開放工程）
第四開放工程では、照射部６０が弁５４に光を照射することで弁５４を加熱し、弁５４の形状を変化させて流路４４を開放する。
【００７９】
（流出工程）
流出工程では、混合室３４に収容された流体を、弁５４により開放された流路４４を通じてチップ１２の外側へ流出させる。
【００８０】
（本実施形態の作用効果）
本実施形態によれば、前述の第一開放工程において、加熱により弁５１の形状を変化させることで流路４１を開放する。そして、前述の第一移動工程において、混合室３１に収容された流体を、弁５１により開放された流路４１を通じて、混合室３２へ移動させる。これにより、流体を混合対象と混合室３２で混合させることができる。したがって、弁５１に対する機械的な操作が不要となる。なお、機械的な操作とは、例えば、弁５１に外力を加えて、押す、引く、回す等の操作を行うことをいう。
【００８１】
本実施形態では、弁５１へ光を照射することで弁５１を加熱し、弁５１の形状を変化させて流路４１を開放するので、チップ１２に対して非接触で弁５１を加熱できる。この結果、流体に異物が混入することを抑制できる。
【００８２】
さらに、本実施形態では、弁５１が光を吸収する色材を有しているので、光の照射を開始してから短時間で弁５１を加熱することができる。この結果、光の照射を開始してから短時間で流路４１を開放できる。
【００８３】
また、本実施形態によれば、弁５１を軟化させて扁平な状態にすることで流路４１を開放できるので、例えば弁５１を収縮させて流路４１を開放される場合に比べ、流路４１を広く開放できる。
【００８４】
さらに、弁５１は、流体に含まれる検体が熱変性する温度未満の融点を有している。このため、検体を熱変性させずに、流路４１を開放できる。
【００８５】
また、本実施形態では、弁５１の形状の変化は、不可逆であるので、不用意に流路４１が閉じることを抑制できる。
【００８６】
（変形例）
本実施形態では、各流路４１〜４４において、重力により、流体を移動させていたが、これに限られない。例えば、磁力、静電吸引力、及び圧力などを用いて、流体を移動させる構成であってもよい。また、重力、磁力、静電吸引力及び圧力などを複数組み合わせて、流体を移動させる構成であってもよい。
【００８７】
また、本実施形態では、弁５１を軟化させて扁平な状態にすることで流路４１を開放していたが、これに限られない。例えば、弁を収縮させて流路を開放される構成であってもよい。この場合では、例えば、弁として、熱硬化性物質が用いられる。熱硬化性物質としては、例えば、フェノール樹脂（ＰＦ）、エポキシ樹脂（ＥＰ）、メラミン樹脂（ＭＦ）、尿素樹脂（ユリア樹脂、ＵＦ）、不飽和ポリエステル樹脂（ＵＰ）、アルキド樹脂、ポリウレタン（ＰＵＲ）、熱硬化性ポリイミド（ＰＩ）などが挙げられる。なお、これらの熱硬化性物質は、単独で用いてもよいし、２種以上を組み合わせて用いてもよい。
【００８８】
本実施形態では、各弁５１〜５４へ光を照射することで各弁５１〜５４を加熱し、各弁５１〜５４の形状を変化させて各流路４１〜４４を開放していたが、これに限られない。例えば、チップ１２に接触するヒータを用いて各弁５１〜５４を加熱する構成であってもよい。
【００８９】
本実施形態では、各弁５１〜５４が、光を吸収する色材を有しているが、これに限られない。例えば、各弁５１〜５４の周辺部が、光を吸収する色材を有していてもよい。したがって、弁及び弁の周辺部の少なくとも一方が、光を吸収する色材を有していればよい。なお、周辺部としては、例えば、第一基板２１において各弁５１〜５４と接触する接触部分や、第二基板２２において各弁５１〜５４と接触する接触部分が挙げられる。
【００９０】
前述では、混合室３１を第一収容部の一例として、混合室３２を第二収容部の一例として、流路４１を、第一収容部と第二収容部とを連通する流路の一例として、弁５１を、加熱により形状が変化して流路を開放可能な弁の一例として説明したが、これに限られない。例えば、混合室３２を第一収容部の一例として、混合室３３を第二収容部の一例として、流路４２を、第一収容部と第二収容部とを連通する流路の一例として、弁５２を、加熱により形状が変化して流路を開放可能な弁の一例として把握してもよい。また、混合室３３を第一収容部の一例として、混合室３４を第二収容部の一例として、流路４３を、第一収容部と第二収容部とを連通する流路の一例として、弁５３を、加熱により形状が変化して流路を開放可能な弁の一例として把握してもよい。
【００９１】
（混合装置１０の具体的な使用例）
混合装置１０は、ポリメラーゼ連鎖反応の処理装置として用いることができる。この場合では、例えば、以下のように混合装置１０が構成される。
【００９２】
細胞膜を溶解する作用を有する界面活性剤が、混合室３１に予め収容される。ＤＮＡ（デオキシリボ核酸）を洗浄する洗浄液（例えば７０％エタノール）が、混合対象として、混合室３２に予め収容される。
【００９３】
ＤＮＡポリメラーゼ及びプライマーを含む反応液が、混合対象として、混合室３３に予め収容される。試料調製を行うための調製液（例えば、バッファ液）が、混合対象として、混合室３４に予め収容される。
【００９４】
混合装置１０をポリメラーゼ連鎖反応の処理装置として用いた場合では、例えば、以下の処理方法により、ポリメラーゼ連鎖反応の処理が行われる。
【００９５】
（流入工程）
流入工程では、検体としての細胞を含む検体液（流体の一例）を、流入路２５を通じて混合室３１に流入させる。これにより、検体液が混合室３１に収容される。混合室３１に収容された検体液は、混合室３１に予め収容された界面活性剤と、混合室３１にて混合される。これにより、細胞からＤＮＡが遊離される。
【００９６】
（第一開放工程）
第一開放工程では、照射部６０が弁５１に光を照射することで弁５１を加熱し、弁５１の形状を変化させて流路４１を開放する。
【００９７】
（第一移動工程）
第一移動工程では、検体液の細胞から遊離されたＤＮＡを、弁５１により開放された流路４１を通じて混合室３２へ移動させる。すなわち、検体液からＤＮＡを混合室３２へ分離する。
【００９８】
具体的には、例えば、磁性粒子へＤＮＡを吸着させその磁性粒子を磁力で混合室３２へ移動させることでＤＮＡを分離する分離法や、フィルタによりＤＮＡを分離する分離法などを用いてＤＮＡを分離する。なお、分離法は、単独又は複数組み合わせて用いてもよい。
【００９９】
混合室３２へ分離されたＤＮＡは、混合室３１に収容された洗浄液と混合される。これにより、ＤＮＡが洗浄される。
【０１００】
（第二開放工程）
第二開放工程では、照射部６０が弁５２に光を照射することで弁５２を加熱し、弁５２の形状を変化させて流路４２を開放する。
【０１０１】
（第二移動工程）
第二移動工程では、洗浄液と混合されたＤＮＡを、弁５２により開放された流路４２を通じて混合室３３へ移動させる。すなわち、洗浄液からＤＮＡを混合室３３へ分離する。具体的には、前述の分離法を用いてＤＮＡを分離する。
【０１０２】
混合室３３へ分離されたＤＮＡは、混合室３３に収容された反応液と混合される。そして、反応液と混合されたＤＮＡに対して、加熱と冷却を繰り返すことで、ポリメラーゼ連鎖反応の処理が行われる。
【０１０３】
（第三開放工程）
第三開放工程では、照射部６０が弁５３に光を照射することで弁５３を加熱し、弁５３の形状を変化させて流路４３を開放する。
【０１０４】
（第三移動工程）
第三移動工程では、ＤＮＡが混合された反応液を、弁５３により開放された流路４３を通じて混合室３４へ移動させる。これにより、反応液が調製液と混合され、試料調製が行われる。
【０１０５】
（第四開放工程）
第四開放工程では、照射部６０が弁５４に光を照射することで弁５４を加熱し、弁５４の形状を変化させて流路４４を開放する。
【０１０６】
（流出工程）
流出工程では、混合室３４に収容された試料（ＤＮＡが混合された反応液）を、弁５４により開放された流路４４を通じてチップ１２の外側へ流出させる。なお、流出された試料に対して分析（例えばクロマトグラフィ）が行われる。
【０１０７】
本発明は、前述した実施形態に限るものではなく、その主旨を逸脱しない範囲内において種々の変形、変更、改良が可能である。例えば、前述した変形例は、適宜、複数を組み合わせて構成してもよい。
【０１０８】
２０１８年３月３０日に出願された日本国特許出願２０１８−０６６５３６号の開示は、その全体が参照により本明細書に取り込まれる。本明細書に記載された全ての文献、特許出願、および技術規格は、個々の文献、特許出願、および技術規格が参照により取り込まれることが具体的かつ個々に記された場合と同程度に、本明細書中に参照により取り込まれる。
【図１】
2019187294.tif 000003
【図２】
2019187294.tif 000004
【図３】
2019187294.tif 000005
【図４】
2019187294.tif 000006
【図５】
2019187294.tif 000007
【図６】
2019187294.tif 000008
【国際調査報告】
2019187294.tif 000009
2019187294.tif 000010
2019187294.tif 000011
2019187294.tif 000012